(57)【要約】【課題】ミスト捕集フィルターでのスラッジ析出が抑制され、ミスト捕集フィルターの目詰まりが抑制された排水の蒸発装置を提供する。【解決手段】熱風発生炉と、熱風通路を介して熱風発生炉に連通する蒸発塔と、蒸発塔の底部から蒸発塔上部と熱風発生炉上部とへ延びる排水通路と、排水通路の途上に配設されたポンプと、排水通路の熱風発生炉側端部に取り付けられたスプレーノズルと、蒸発塔内に且つ排水通路の蒸発塔上部側端部より上方に配設されたミスト捕集フィルターとを備える。【選択図】  図２
2005040662.tif 000002
【特許請求の範囲】
【請求項１】
熱風発生炉と、熱風通路を介して熱風発生炉に連通する蒸発塔と、蒸発塔の底部から蒸発塔上部と熱風発生炉上部とへ延びる排水通路と、排水通路の途上に配設されたポンプと、排水通路の熱風発生炉上部側端部に取り付けられたスプレーノズルと、蒸発塔内に且つ排水通路の蒸発塔上部側端部より上方に配設されたミスト捕集フィルターとを備えることを特徴とする排水蒸発装置。
【請求項２】
蒸発塔内に且つ排水通路の蒸発塔上部側端部より下方に配設された多孔板を備えることを特徴とする請求項１に記載の排水蒸発装置。
【請求項３】
上下方向に互いに間隔を隔てて配設された複数の多孔板を備えることを特徴とする請求項２に記載の排水蒸発装置。
【請求項４】
複数の多孔板によって形成された蛇行通路を備えることを特徴とする請求項３に記載の排水蒸発装置。
【発明の詳細な説明】
【０００１】
【発明の属する技術分野】
本発明は、表面処理設備や塗装設備から排出される排水の蒸発装置に関するものである。
【０００２】
【従来の技術】
表面処理設備の排水の蒸発装置が特許文献１等に開示されている。従来の蒸発装置は図１に示すように、熱風発生炉を兼ねる蒸発塔１を備えている。蒸発塔１の側壁に、塗装設備乾燥炉の廃熱の取入口１ａと外気取入口１ｂとが形成され、バーナー２が取り付けられている。蒸発塔１の天井壁に、排気ファン３と排気ダクト４とが取り付けられている。蒸発塔１の底部から蒸発塔１の上部へ排水パイプ５が延びている。排水パイプ５の途上にポンプ６が配設されている。排水パイプ５の蒸発塔上部側端部にスプレーノズル７が取り付けられている。蒸発塔１内に且つスプレーノズル７の上方にミスト捕集フィルター８が配設されている。蒸発塔１の底部には、図示しない表面処理設備や塗装設備から流入した排水が貯留されている。
上記構成を有する従来の蒸発装置においては、外気取入口から吸引された外気が乾燥炉廃熱やバーナー燃焼熱により加熱されて、蒸発塔１内で熱風が生成される。熱風は蒸発塔１内を上昇し、スプレーノズル７から噴霧される排水ミストを加熱し、排水ミスト中の水分を蒸発させる。析出したスラッジは蒸発塔１底部に貯留された排水中に落下する。排水ミストの一部は蒸発せず熱風に連行されて上昇するが、ミスト捕集フィルター８によって捕集される。排水から分離された水蒸気は排ガスとともに排気ファン３に吸引され、排気ダクト４を介して蒸発装置から排出される。
【０００３】
【特許文献１】特開平８−２１８１８９
【０００４】
【発明が解決しようとする課題】
図１に示す従来の蒸発装置には、以下の問題があった。
▲１▼析出したスラッジが全て蒸発塔１底部に貯留された排水中に戻るので、蒸発塔内の排水中のスラッジ濃度が高く、ミスト捕集フィルター８でスラッジが析出し易く、ミスト捕集フィルターが目詰まりし易い。
▲２▼多量の排水ミストがミスト捕集フィルターによって捕集されるので、ミスト捕集フィルター８でスラッジが析出し易く、ミスト捕集フィルターが目詰まりし易い。
本発明は上記問題に鑑みてなされたものであり、ミスト捕集フィルターでのスラッジ析出が抑制され、ミスト捕集フィルターの目詰まりが抑制された排水の蒸発装置を提供することを目的とする。
【０００５】
【課題を解決するための手段】
上記課題を解決するために、本発明においては、熱風発生炉と、熱風通路を介して熱風発生炉に連通する蒸発塔と、蒸発塔の底部から蒸発塔上部と熱風発生炉上部とへ延びる排水通路と、排水通路の途上に配設されたポンプと、排水通路の熱風発生炉上部側端部に取り付けられたスプレーノズルと、蒸発塔内に且つ排水通路の蒸発塔上部側端部より上方に配設されたミスト捕集フィルターとを備えることを特徴とする排水蒸発装置を提供する。
本発明においては、熱風発生炉内で発生した熱風が熱風通路を通って蒸発塔へ流入し、排水通路の蒸発塔上部側端部から吐出する排水中の水分を蒸発させる。析出したスラッジは蒸発塔の底部に貯留された排水中に戻る。蒸発塔の底部に貯留された排水の一部は、熱風発生炉内でミスト化される。排水ミスト中の水分が蒸発することにより析出したスラッジは、落下して熱風発生炉の底部に堆積し、蒸発塔の底部に貯留された排水中には戻らない。この結果、蒸発塔の底部に貯留された排水中のスラッジ濃度の上昇が抑制され、ミスト捕集フィルターでのスラッジ析出が抑制され、ミスト捕集フィルターの目詰まりが抑制される。
【０００６】
本発明の好ましい態様においては、蒸発装置は、蒸発塔内に且つ排水通路の蒸発塔上部側端部より下方に配設された多孔板を備える。
排水を多孔板から滴下させることにより、排水と熱風との十分な接触面積が確保されつつ蒸発塔内での排水ミストの発生が抑制され、ミスト捕集フィルターでのスラッジ析出が抑制され、ミスト捕集フィルターの目詰まりが抑制される。
【０００７】
本発明の好ましい態様においては、蒸発装置は、上下方向に互いに間隔を隔てて配設された複数の多孔板を備える。
複数の多孔板を上下方向に互いに間隔を隔てて配設することにより、熱風と排水との接触面積が増加し、排水の蒸発効率が向上する。
【０００８】
本発明の好ましい態様においては、蒸発装置は、複数の多孔板によって形成された蛇行通路を備える。
蛇行通路を熱風が流れることにより、蒸発塔内での熱風の滞留時間が増加し、蒸発塔の温度が上昇し、排水の蒸発効率が向上する。
【０００９】
【発明の実施の形態】
本発明の実施例に係る排水蒸発装置を説明する。
図２に示すように、本実施例に係る排水蒸発装置は、熱風発生炉１１を備えている。熱風発生炉１１の囲壁に、図示しない塗装設備乾燥炉の廃熱の取入口１１ａと外気取入口１１ｂとが形成され、バーナー１２が取り付けられている。熱風発生炉１１は、熱風通路１３を介して、蒸発塔１４に連通している。
蒸発塔１４の天井壁に、排気ファン１５と排気ダクト１６とが取り付けられている。蒸発塔１４の底部から蒸発塔１４の上部へ排水パイプ１７が延びている。排水パイプ１７の途上にポンプ１８が配設されている。ポンプ１８よりも下流で排水パイプ１７から分岐する排水パイプ１９が、熱風発生炉１１の上部へ延びている。排水パイプ１９の熱風発生炉上部側端部にスプレーノズル２０が取り付けられている。
【００１０】
蒸発塔１４内に且つ排水パイプ１７の蒸発塔上部側端部の下方に、上下方向に互いに間隔を隔てて、複数の多孔板２１が配設されている。多孔板２１の一辺は蒸発塔１４の側壁に固定されている。多孔板２１の残余の三辺には堰板２１ａが固定されている。複数の多孔板２１により、蛇行熱風通路２２が形成されている。蒸発塔１４内に且つ排水パイプ１７の蒸発塔上部側端部の上方に、ミスト捕集フィルター２３が配設されている。
蒸発塔１４の底部には、図示しない表面処理設備や塗装設備から流入した排水が貯留されている。
【００１１】
上記構成を有する排水蒸発装置においては、外気取入口１１ｂから吸引された外気が乾燥炉廃熱やバーナー燃焼熱により加熱されて、熱風発生炉１１内で熱風が生成される。熱風はスプレーノズル２０から噴霧される排水ミストを加熱し、排水ミスト中の水分を蒸発させる。析出したスラッジは熱風発生炉１１の底部に堆積する。熱風発生炉１１の底部に堆積したスラッジは蒸発塔１４へは戻らない。熱風発生炉１１の底部に堆積したスラッジは定期的に除去される。
水蒸気は熱風と共に熱風通路１３を通って蒸発塔１４へ流入し、蛇行熱風通路２２を通って上昇する。
【００１２】
排水パイプ１７の蒸発塔上部側端部から吐出した排水が、最上段の多孔板２１上に溜まり、多孔板２１に形成された多数の小孔から下方の蛇行熱風通路２２内へ滴下する。滴下した排水は順次下方の多孔板２１上に溜まり、順次下方の蛇行熱風通路２２１内へ滴下し、最終的に蒸発塔１４の底部に貯留された排水中に戻る。蛇行熱風通路２２内を落下する排水の水滴が、蛇行熱風通路２２内を上昇する熱風に接触して加熱され、排水中の水分が蒸発する。析出したスラッジは下方の多孔板２１上に溜まった排水中に落下し、最終的に蒸発塔１４の底部に貯留された排水中に戻る。
【００１３】
排水パイプ１７の蒸発塔上部側端部から吐出した排水の一部はミスト化し、蒸発塔１４内を上昇する熱風に連行されて上昇するが、ミスト捕集フィルター２３に捕集される。
排水から分離された水蒸気は排ガスとともに排気ファン１５に吸引され、排気ダクト１６を介して排水蒸発装置から排出される。
【００１４】
蒸発塔１４の底部に貯留された排水の一部が、熱風発生炉１１内でミスト化され、排水ミスト中の水分が蒸発することにより析出したスラッジが、落下して熱風発生炉１１の底部に堆積し、蒸発塔１４の底部に貯留された排水中に戻らないことにより、蒸発塔１４の底部に貯留された排水中のスラッジ濃度の上昇が抑制され、ミスト捕集フィルター２３でのスラッジ析出が抑制され、ミスト捕集フィルター２３の目詰まりが抑制される。
【００１５】
排水を多孔板２１から滴下させることにより、排水と熱風との十分な接触面積が確保されつつ蒸発塔１４内での排水ミストの発生が抑制され、ミスト捕集フィルター２３でのスラッジ析出が抑制され、ミスト捕集フィルター２３の目詰まりが抑制される。
複数の多孔板２１を上下方向に互いに間隔を隔てて配設することにより、熱風と排水との接触面積が増加し、排水の蒸発効率が向上する。
蛇行熱風通路２２を熱風が流れることにより、蒸発塔１４内での熱風の滞留時間が増加し、蒸発塔１４の温度が上昇し、排水の蒸発効率が向上する。
【００１６】
【発明の効果】
以上説明したごとく、本発明においては、蒸発塔の底部に貯留された排水の一部が熱風発生炉内でミスト化され、排水ミスト中の水分が蒸発することにより析出したスラッジが、熱風発生炉の底部に堆積し蒸発塔の底部に貯留された排水中に戻らないことにより、蒸発塔の底部に貯留された排水中のスラッジ濃度の上昇が抑制され、ミスト捕集フィルターでのスラッジ析出が抑制され、ミスト捕集フィルターの目詰まりが抑制される。
【図面の簡単な説明】
【図１】従来の排水蒸発装置の断面図である。
【図２】本発明の実施例に係る排水蒸発装置の断面図である。
【符号の説明】
１、１４  蒸発塔
５、１７、１９  排水パイプ
７、２０  スプレーノズル
８、２３  ミスト捕集フィルター
１１  熱風発生炉
１３  熱風通路
２１  多孔板
２２  蛇行熱風通路
【図１】
2005040662.tif 000003
【図２】
2005040662.tif 000004